(57)【要約】      （修正有）【課題】ＩＣチップとコイルアンテナよりなる非接触ＩＣモジュール基板を外装基材中に装填して非接触ＩＣインレットとし、これを冊子の裏表紙に挟みこんでも、柔軟な表紙や、外力に弱いＩＣチップに適用可能な非接触ＩＣインレットを提供する。【解決手段】アンテナ配線を形成したＰＥＴまたはＰＥＮフィルム１２が、非接触ＩＣモジュール基板のリードフレーム１３を嵌め込む切欠きを有し、ＰＥＴまたはＰＥＮフィルム１２’が、非接触ＩＣモジュール基板のモールド樹脂部分１１を嵌め込む切欠きを有し、非接触ＩＣモジュール基板のリードフレームおよびモールド樹脂部分がそれぞれ切り欠き部分にはめ込まれるように、柔軟樹脂層１５を介してフィルム１２、１２’を積層して形成する。【選択図】図２
2010044684.tif 000002
【特許請求の範囲】
【請求項１】
アンテナ配線を形成したＰＥＴまたはＰＥＮフィルム１が、非接触ＩＣモジュール基板のリードフレームを嵌め込む切欠きを有し、ＰＥＴまたはＰＥＮフィルム２が、非接触ＩＣモジュール基板のモールド樹脂部分を嵌め込む切欠きを有し、非接触ＩＣモジュール基板のリードフレームおよびモールド樹脂部分がそれぞれ切り欠き部分にはめ込まれるように、柔軟樹脂層を介してフィルム１、２を積層して形成されたことを特徴とする非接触ＩＣインレット。
【発明の詳細な説明】
【技術分野】
【０００１】
本発明は非接触ＩＣモジュールを有する冊子に組み込む非接触ＩＣインレットに関するものであり、特にこの非接触ＩＣインレットの構成に関する。
【背景技術】
【０００２】
近年、非接触で電子テ゛ータの記入や印字を行うシステムが普及し、非接触ＩＣモジュール（固有の識別情報を格納したＩＣチップ実装体と、この識別情報を送受信するアンテナとで構成されているもの）を外装基材で挟みこみＩＣインレットとし、このＩＣインレットをパスポートや預貯金通帳等冊子の表紙などに貼り合わせた非接触ＩＣ付冊子が開発されている。
【０００３】
このような冊子では通信機能及び信頼性が要求される。機械的信頼性はその一部をなす重大な問題である。冊子の機械的信頼性としては、ボールペン等による書き込みや曲げに対する耐性が挙げられる。特にＩＣチップ実装体、及びアンテナ配線との接合部で信頼性を確保する必要がある。前者では平滑であること、後者ではＩＣチップ実装体近傍での変形が滑らかであることが重要である。
【０００４】
このためにＩＣカードを含む用途で様々な工夫が提案されてきた。例えば特許文献１はＩＣカードに関する発明であり、インレット内部にＩＣチップにかかる応力低減用冶具を置いている。機械的信頼性は向上が期待されるが、インレットが厚く、高価になる。可堯性が必要とされる冊子では実施が難しいと考えられる。
【０００５】
非接触ＩＣインレットの保護を目的とした工夫では、特許文献２に、冊子としての平滑性を保ち、柔軟性基材で挟むという開示がある。柔軟性基材に非接触ＩＣモジュールを収容する凹部を形成するという内容である。しかし、柔軟性基材が薄ければ、曲げ等の変形時に硬いＩＣチップ実装体部分と柔らかいその周辺で変形に差が生じる。特にＩＣチップ実装体境界で応力が集中しアンテナ配線との接合部で信頼性を損ねる。柔軟性基材を厚くすれば保護と言う目的は達成できるが冊子に組み込む際に問題となる可能性がある。
【０００６】
冊子とするのに必要な特性が非接触ＩＣインレット自体に備わっているならば各種の保護手法は有効に作用し、信頼性向上が期待できる。
【０００７】
以上から、平滑で薄く、機械的信頼性を向上させた非接触ＩＣインレットが求められていた。
【特許文献１】特許第３９２１９９６号公報
【特許文献２】特開２００５−３１３５２０号公報
【発明の開示】
【発明が解決しようとする課題】
【０００８】
ＩＣチップとコイルアンテナよりなる非接触ＩＣモジュール基板を外装基材中に装填して非接触ＩＣインレットとし、これを冊子の裏表紙に挟みこんでも、柔軟な表紙や、外力に弱いＩＣチップに適用可能な非接触ＩＣインレットを提供する。
【課題を解決するための手段】
【０００９】
本発明において上記課題を達成する為に、請求項１の発明では、アンテナ配線を形成したＰＥＴまたはＰＥＮフィルム１が、非接触ＩＣモジュール基板のリードフレームを嵌め込む切欠きを有し、ＰＥＴまたはＰＥＮフィルム２が、非接触ＩＣモジュール基板のモー
ルド樹脂部分を嵌め込む切欠きを有し、非接触ＩＣモジュール基板のリードフレームおよびモールド樹脂部分がそれぞれ切り欠き部分にはめ込まれるように、柔軟樹脂層を介してフィルム１、２を積層して形成されたことを特徴とする非接触ＩＣインレットとしたものである。
【発明の効果】
【００１０】
本発明は以上の構成であるから、下記に示す如き効果がある。
【００１１】
即ち、請求項１の発明によれば、アンテナ配線部分は柔軟樹脂層をＰＥＴフィルムが挟んでいるので、積層体として変形は容易であり、力学的中立面はほぼ中央に位置する。ＰＥＴフィルムの切り欠きは中心を同じにして重なるので、非接触ＩＣモジュールを嵌め込むことで変形に折れ曲がり等の異常は生じない。また、非接触ＩＣモジュールとアンテナ配線との接合部は柔軟樹脂層に接する中立面側に位置するため、応力は小さい。
【００１２】
また本発明では、非接触ＩＣモジュールはリードフレームとモールド樹脂部分とを別個のＰＥＴフィルム切欠きに嵌め込んだ構成である。インレットは平滑であり、厚みは非接触ＩＣモジュールで決定され、最小値とすることができる。
【００１３】
平滑で、且つ薄いインレットであることは、非接触ＩＣインレットとして外装基材中に装填する際、応力緩和措置の余地が増大し、外力に弱いＩＣチップにも適用可能ならしめる。
【００１４】
従って、本願発明の非接触ＩＣインレットは、これを冊子の裏表紙に挟みこんでも、柔軟な表紙や、外力に弱いＩＣチップに適用可能な非接触ＩＣインレットとすることができる。
【発明を実施するための最良の形態】
【００１５】
以下本発明を実施する為の最良の形態を図面を用いて詳細に説明する。
【００１６】
図１は本発明の非接触ＩＣインレットを組み込んだ非接触ＩＣ付冊子の一事例を説明する斜視図であり、図２は本発明の非接触ＩＣインレットの一実施の形態で、その一部を示す側断面図である。また図３は非接触ＩＣモジュールとＰＥＴフィルムの切り欠きとの対応を示した斜視図である。図４は突起物による変形の模式図であり、本発明の非接触ＩＣインレットとＰＥＴフィルムがない場合とを比較している。
【００１７】
図１に例示されているように、表表紙、裏表紙、本文用紙からなる冊子に対し、本発明の非接触ＩＣインレットに係る非接触ＩＣチップ実装基板１は非接触ＩＣモジュール２に含まれ、裏貼紙５を有する裏表紙４に設けられている。この非接触ＩＣインレットは、図２に例示したように、アンテナ配線１４を形成したＰＥＴまたはＰＥＮフィルム（１）１２が、非接触ＩＣモジュール基板のリードフレーム１３を嵌め込む切欠きを有し、ＰＥＴまたはＰＥＮフィルム（２）１２’が、非接触ＩＣモジュール基板のモールド樹脂１１部分を嵌め込む切欠きを有し、非接触ＩＣモジュール基板のリードフレーム１３およびモールド樹脂１１部分がそれぞれ切り欠き部分にはめ込まれるように、柔軟樹脂層１５を介してフィルム（１）、（２）を積層して形成されている。
【００１８】
なお、ＰＥＴまたはＰＥＮフィルム（１）１２、（２）１２’に設けられた切り欠き部分と、モールド樹脂１１とリードフレーム１３との位置は、図３に例示したように、それぞれ切り欠き部分にはめ込まれるように、形成されている。
【００１９】
このように形成された非接触ＩＣモジュール２に、その非接触ＩＣモジュール２の近辺
に突起物が当たり、変形した状況を図４に例示した。図４（ａ）は、従来の例の非接触ＩＣインレット、（ｂ）本発明の例の非接触ＩＣインレットである。
【００２０】
これから、アンテナ配線部分は柔軟樹脂層をＰＥＴフィルムが挟んでいるので、積層体として変形は容易であり、力学的中立面はほぼ中央に位置する。ＰＥＴ等のフィルムの切り欠きは中心を同じにして重なるので、非接触ＩＣモジュールを嵌め込むことで変形に折れ曲がり等の異常は生じない。また、非接触ＩＣモジュールとアンテナ配線との接合部は柔軟樹脂層に接する中立面側に位置するため、応力は小さいこと等がわかる。
【００２１】
本発明にかかるアンテナ配線の形態に制約はない。例えば、リードフレーム側のＰＥＴフィルム上にアンテナ配線を形成し金属箔の抵抗溶接によりリードフレームとアンテナ配線接合する、アンテナ配線を被覆銅線とするならば直接リードフレームと溶接する、等等が可能である。
【００２２】
また、柔軟樹脂層としては、テスリン（スリーエム社・登録商標）などが例示できる。
【００２３】
本発明にかかるはフィルムＰＥＴまたはＰＥＮフィルム（１）１２、（２）１２’の内、フィルム（１）１２インレット大の大きさで良いが、上側のフィルム（２）１２’はインレットの可撓性が適当なものとなるように大きさを適宜設計して良い。例えば、もし上側のフィルム（２）１２’がインレットの可撓性を妨げる傾向にあれば、モールドされたＩＣチップの周囲のみに小さい外形で設けてやり、或いは、もし上側のフィルム（２）１２’が可撓性を実質妨げない傾向にあれば、下側のフィルム（１）１２と同様にインレット大とする構成としても良い。尚この場合でも、当然フィルム（２）１２’は開口部（切欠き）を有しており、その開口部（切欠き）にＩＣチップを有するモールド樹脂が嵌り、モールド樹脂とフィルム（２）１２’とが重ならない構造とする。
【産業上の利用可能性】
【００２４】
本発明は、電子マネー、会員カード、クレジット、電子キー、住民票、健康保険証、免許証、定期券、電子チケット、電子伝票などに適用できる。
【図面の簡単な説明】
【００２５】
【図１】本発明の非接触ＩＣインレットを組み込んだ非接触ＩＣ付冊子の一事例を説明する斜視図である。
【図２】本発明の非接触ＩＣインレットの一実施の形態で、その一部を示す側断面図である。
【図３】非接触ＩＣモジュールとＰＥＴフィルムの切り欠きとの対応を示した斜視図である。
【図４】突起物と接触する場合にＰＥＴフィルムの有無による変形の差を示す模式図である。
【符号の説明】
【００２６】
１…非接触 ＩＣチップ実装基板
２…非接触 ＩＣモジュール
３…表表紙
４…裏表紙
５…裏貼紙
６…本文用紙
１０…チップ
１１…モールド樹脂
１２、１２’…ＰＥＮ又はＰＥＴフィルム
１３…リードフレーム
１４…アンテナ配線
１５…柔軟樹脂層
１６…突起物
【図１】
2010044684.tif 000003
【図２】
2010044684.tif 000004
【図３】
2010044684.tif 000005
【図４】
2010044684.tif 000006